(57)【要約】      （修正有）【課題】短くコンパクトで、使い終わったと同時に便利に収納及び携帯できる手動超短六つ折り畳み傘を提供する。【解決手段】手動超短六つ折り畳み傘は傘布、六つ折り畳み傘布骨、六つ折り中棒、ハンドル、上ロクロ、下ロクロを有し、六つ折り中棒頂端上に上ロクロを取り付け、六つ折り中棒上端に下ロクロを可動するように連接し、六つ折り中棒は上ロクロ、下ロクロを通して対応し連接し、六つ折り畳み傘布骨２２を取り付け、六つ折り畳み傘布骨上に傘布を取り付け、六つ折り中棒底端にハンドルを取り付け、六つ折り畳み傘布骨は第一傘骨２１、第二傘骨２２、第三傘骨２３、第四傘骨２４、第五傘骨２５、第六傘骨２６から成り、六つ折りの中棒、傘布骨設計を通して、中棒は伸縮折り畳み可能で、第六傘骨２６は槽骨構造設計を採用し、傘骨を折り畳み收縮後に第四傘骨２４、第五傘骨２５を第六傘骨２６の槽骨の槽の隙間の中に隠し傘骨の体積を縮小できる。【選択図】図２
0003227575.tif 000002
【実用新案登録請求の範囲】
【請求項１】
手動超短六つ折り畳み傘であって、傘布、六つ折り畳み傘布骨、六つ折り中棒、ハンドル、上ロクロ、下ロクロを有し、
前記六つ折り中棒頂端上には、上ロクロを取り付け、六つ折り中棒上端には、下ロクロを可動するように連接し、六つ折り中棒は上ロクロ、下ロクロを通して、対応して連接し、六つ折り畳み傘布骨を取り付け、六つ折り畳み傘布骨上には、傘布を取り付け、六つ折り中棒底端には、ハンドルを取り付け、
前記六つ折り畳み傘布骨は、第一傘骨、第二傘骨、第三傘骨、第四傘骨、第五傘骨、第六傘骨により組成され、第一傘骨上端と第二傘骨上端とはヒンジ接続され、第二傘骨下端と第三傘骨とはヒンジ接続され、第三傘骨上端には、第四傘骨、第五傘骨がヒンジ接続され、第六傘骨は、槽骨構造設計を採用し、第四傘骨下端は、槽骨に挿入され、第六傘骨とヒンジ接続され、第五傘骨は、第六傘骨の槽骨を通過し、しかも第六傘骨とヒンジ接続し、
前記六つ折り中棒は、中棒I、中棒II、中棒III、中棒IV、中棒V、中棒VIが順番に嵌められ、中棒は、伸縮可能なように連接して組成されることを特徴とする手動超短六つ折り畳み傘。
【請求項２】
前記第六傘骨上端は、上ロクロを通して、中棒VIと相互に連接され、第五傘骨下端は、下ロクロを通して、中棒VIと連接されることを特徴とする請求項１に記載の手動超短六つ折り畳み傘。
【請求項３】
前記第一傘骨、第三傘骨、第五傘骨の間は、傘骨引っ掛け紐を連接して設置することを特徴とする請求項１に記載の手動超短六つ折り畳み傘。
【請求項４】
前記第一傘骨、第二傘骨、第三傘骨、第四傘骨、第五傘骨、第六傘骨は、収縮させ折り畳み可能であることを特徴とする請求項１に記載の手動超短六つ折り畳み傘。
【請求項５】
前記中棒I、中棒II、中棒III、中棒IV、中棒V、中棒VIは、伸縮させ折り畳み可能であることを特徴とする請求項１に記載の手動超短六つ折り畳み傘。
【考案の詳細な説明】
【技術分野】
【０００１】
本考案は生活用品技術領域に関し、特に手動超短六つ折り畳み傘に関する。
【背景技術】
【０００２】
傘は陽避け雨避けの生活用品である。
従来の傘は直骨傘と折り畳み傘に大きく分けられる。
従来の折り畳み傘には、三つ折りと五つ折りがあるが、畳んだ時の長さが長く、収納と携帯に不便で、使用が不便である。
【考案の概要】
【考案が解決しようとする課題】
【０００３】
前記先行技術の折り畳み傘には三つ折りと五つ折りがあるが、畳んだ時の長さが長く、収納と携帯に不便で、使用が不便であるという欠点がある。
【課題を解決するための手段】
【０００４】
本考案は長さが短く、よりコンパクトな新型傘で、使用者が使い終わったと同時に便利に収納及び携帯できる手動超短六つ折り畳み傘に関する。
【０００５】
本考案による手動超短六つ折り畳み傘は、傘布、六つ折り畳み傘布骨、六つ折り中棒、ハンドル、上ロクロ、下ロクロを有する。
該六つ折り中棒頂端上には、上ロクロを取り付け、六つ折り中棒上端には、下ロクロを可動するように連接し、六つ折り中棒は上ロクロ、下ロクロを通して、対応して連接し、六つ折り畳み傘布骨を取り付け、六つ折り畳み傘布骨上には、傘布を取り付け、六つ折り中棒底端には、ハンドルを取り付ける。
該六つ折り畳み傘布骨は、第一傘骨、第二傘骨、第三傘骨、第四傘骨、第五傘骨、第六傘骨により組成され、第一傘骨上端と第二傘骨上端とはヒンジ接続され、第二傘骨下端と第三傘骨とはヒンジ接続され、第三傘骨上端には、第四傘骨、第五傘骨がヒンジ接続され、第六傘骨は、槽骨構造設計を採用し、第四傘骨下端は、槽骨に挿入され、第六傘骨とヒンジ接続され、第五傘骨は、第六傘骨の槽骨を通過し、しかも第六傘骨とヒンジ接続する。
該六つ折り中棒は、中棒I、中棒II、中棒III、中棒IV、中棒V、中棒VIが順番に嵌められ、中棒は、伸縮可能なように連接して組成される。
【０００６】
好ましくは、該第六傘骨上端は、上ロクロを通して、中棒VIと相互に連接され、第五傘骨下端は、下ロクロを通して、中棒VIと連接される。
【０００７】
好ましくは、該第一傘骨、第三傘骨、第五傘骨の間は、傘骨引っ掛け紐を連接して設置する。
【０００８】
好ましくは、該第一傘骨、第二傘骨、第三傘骨、第四傘骨、第五傘骨、第六傘骨は、収縮させ折り畳み可能である。
【０００９】
好ましくは、該中棒I、中棒II、中棒III、中棒IV、中棒V、中棒VIは、伸縮させ折り畳み可能である。
【００１０】
従来の技術と比較すると、本考案は以下の効果を有する。
本考案による傘を開く時、中棒I、中棒II、中棒III、中棒IV、中棒V、中棒VIは伸縮して開き、ハンドルは、中棒Iに連接し、中棒VIは、下ロクロ、上ロクロを連動して、第六傘骨、第五傘骨に連接し、傘骨中の傘骨引っ掛け紐は協同して、第三傘骨、第四傘骨、第二傘骨、第一傘骨を押して動かし完全に傘を開かせる。
第六傘骨は、槽骨構造設計を採用するため、傘骨を折り畳み收縮後に第四傘骨、第五傘骨を非常にうまく第六傘骨の槽骨の槽の隙間の中に隠し、傘骨の体積を縮小することができる。
こうして、長さが短くコンパクトで、使用者が使い終わったと同時に便利に収納及び携帯できる傘を実現することができる。
【図面の簡単な説明】
【００１１】
【図１】本考案による手動超短六つ折り畳み傘の構造模式図である。
【図２】本考案による手動超短六つ折り畳み傘において六つ折り中棒、六つ折り畳み傘布骨の連接を示す構造模式図である。
【図３】本考案による手動超短六つ折り畳み傘の六つ折り畳み傘布骨の構造模式図である。
【考案を実施するための形態】
【００１２】
（一実施形態）
本考案の実施形態或いは従来の技術中の技術方案について明確に説明するため、以下では、実施形態或いは従来の技術に対して、図を用いて簡単に紹介する。
図は本考案の実施形態に過ぎず、本領域の通常の技術人員であれば創造的労働をしなくとも、これら図示の構造に基づき他の図を導き出すことができる。
【００１３】
以下では本考案の実施形態を示す図により、本考案の実施形態中の技術方案について明確、完全に説明する。
説明する実施形態は本考案の実施形態の一部に過ぎず、実施形態のすべてでないことは明らかである。
本考案中の実施形態に基づき、本領域の通常の技術人員であれば、創造的労働をしなくとも、すべての他の実施形態を導き出すことができ、これらもすべて本考案保護の範囲に含まれる。
【００１４】
本考案の実施形態における方向性に関わる指示（上、下、左、右、前、後など）は、ある特定の状態（図示参照）における各構成部材間の相対位置関係、運動状況等の説明に用いるだけで、その特定の状態が変化した場合には、その方向性指示もそれに応じて変化する。
【００１５】
本考案の実施形態において“第一”、“第二”等の記述がある場合には、それは目的に記述に用いるだけで、その相対的な重要性を指示または暗示、或いは技術特?の数を示すものであるとは理解できない。
これにより、“第一”、“第二”と限定された特?は、少なくとも１個の該特?を含むと明示或いは暗示している。
各実施形態の間の技術方案は相互に結合できるが、本領域の通常の技術人員が実現可能であることを基礎とし、技術方案の結合に相互矛盾が出現、或いは実現不可能な時には、この種の技術方案の結合は存在しないと認定すべきで、本考案要求の保護範囲には含まれない。
【００１６】
実施形態１
図１〜図３に示すように、本考案は以下の技術方案を提供する。
手動超短六つ折り畳み傘は、傘布１、六つ折り畳み傘布骨２、六つ折り中棒３、ハンドル４、上ロクロ５、下ロクロ６を有する。
六つ折り中棒３頂端上には、上ロクロ５を取り付け、六つ折り中棒３上端には、下ロクロ６を可動するように連接する。
六つ折り中棒３は上ロクロ５、下ロクロ６を通して、対応して連接し、六つ折り畳み傘布骨２を取り付ける。
六つ折り畳み傘布骨２上には、傘布１を取り付け、六つ折り中棒３底端には、ハンドル４を取り付ける。
六つ折り畳み傘布骨２は、第一傘骨２１、第二傘骨２２、第三傘骨２３、第四傘骨２４、第五傘骨２５、第六傘骨２６により組成される。
第一傘骨２１上端と第二傘骨２２上端はヒンジ接続され、第二傘骨２２下端と第三傘骨２３はヒンジ接続され、第三傘骨２３上端には、第四傘骨２４、第五傘骨２５がヒンジ接続される。
第六傘骨２６は、槽骨構造設計を採用し、第四傘骨２４下端は、槽骨に挿入され、第六傘骨２６とヒンジ接続され、第五傘骨２５は、第六傘骨２６の槽骨を通過し、しかも第六傘骨２６とヒンジ接続する。
六つ折り中棒３は、中棒I３１、中棒II３２、中棒III３３、中棒IV３４、中棒V３５、中棒VI３６が順番に嵌められ、中棒は、伸縮可能なように連接して組成される。
具体的には、第六傘骨２６上端は、上ロクロ５を通して、中棒VI３６と相互に連接され、第五傘骨２５下端は、下ロクロ６を通して、中棒VI３６と連接される。
具体的には、第一傘骨２１、第三傘骨２３、第五傘骨２５の間は、傘骨引っ掛け紐を連接して設置する。
具体的には、第一傘骨２１、第二傘骨２２、第三傘骨２３、第四傘骨２４、第五傘骨２５、第六傘骨２６は、収縮させ折り畳み可能である。
具体的には、中棒I３１、中棒II３２、中棒III３３、中棒IV３４、中棒V３５、中棒VI３６は、伸縮させ折り畳み可能である。
【００１７】
本考案の作動原理及び使用過程について説明する。
本考案の使用時には、傘布１は防水処理を施し、若干の三角形のシートを接合して形成する。
傘布１により、六つ折り畳み傘布骨２上をカバーする。
傘を開くと、中棒I３１、中棒II３２、中棒III３３、中棒IV３４、中棒V３５、中棒VI３６  は伸縮して開き、ハンドル４は、中棒I３１に連接し、中棒VI３６は、下ロクロ６、上ロクロ５を連動して、第六傘骨２６、第五傘骨２５に連接する。
傘骨中の傘骨引っ掛け紐は協同して第三傘骨２３、第四傘骨２４、第二傘骨２２、第一傘骨２１を押して動かし、完全に傘を開かせる。
第六傘骨２６は、槽骨構造設計を採用するため、傘骨を折り畳み收縮後に第四傘骨２４、第五傘骨２５を非常にうまく第六傘骨２６の槽骨の槽の隙間の中に隠し、傘骨の体積を縮小することができる。
こうして、長さが短くコンパクトで、使用者が使い終わったと同時に便利に収納及び携帯できる傘を実現することができる。
【００１８】
最後に以下について説明する。
上記は本考案の実施形態にすぎず、本考案を限定するものではなく、前述の実施形態は、本考案について詳細な説明を行なっているが、本領域の技術人員にとっては、前述の各実施形態記載の技術方案に基づき修正が可能で、或いは一部の技術特徴に対して同等の入れ替えを行うことができる。
本考案の精神、原則内で行うあらゆる修正、同等の入れ替え、改善等は、すべて本考案の保護範囲に含まれる。
【符号の説明】
【００１９】
１  傘布、
２  六つ折り畳み傘布骨、
２１  第一傘骨、
２２  第二傘骨、
２３  第三傘骨、
２４  第四傘骨、
２５  第五傘骨、
２６  第六傘骨、
３  六つ折り中棒、
３１  中棒I、
３２  中棒II、
３３  中棒III、
３４  中棒IV、
３５  中棒V、
３６  中棒VI、
４  ハンドル、
５  上ロクロ、
６  下ロクロ。
【図１】
0003227575.tif 000003
【図２】
0003227575.tif 000004
【図３】
0003227575.tif 000005